(57)【要約】【課題】光凝固術を実施するためのマルチスポットレーザプローブを提供する。【解決手段】レーザプローブは、放射光ファイバと、光学系と、２以上の受光ファイバと、を含む。放射光ファイバは、レーザ光束を放射する。光学系は、放射光ファイバにより放射された光束を回折する。各受光ファイバは、光学系により回折された光束を受光する。【選択図】図３
2014079644.tif 000002
【特許請求の範囲】
【請求項１】
光束を放射する放射光ファイバと、
前記放射光ファイバの放射側に配置され、前記放射光ファイバにより放射された光束を回折する光学系と、
それぞれが前記放射光ファイバと対向して配置され、かつそれぞれが前記光学系により回折された光束を受光する２以上の受光ファイバと、
を有するレーザプローブ。
【請求項２】
前記光学系は、第１のレンズと、前記第１のレンズと対向して配置され、回折面を有する第２のレンズと、を更に有する、請求項１に記載のレーザプローブ。
【請求項３】
前記第１のレンズは非球面レンズであり、前記第２のレンズは回折面を備えた非球面レンズである、請求項２に記載のレーザプローブ。
【請求項４】
前記光学系は、前記放射光ファイバにより放射された光束を２次元のビームスポットアレイに回折する、請求項１に記載のレーザプローブ。
【請求項５】
前記光学系は回折格子を有する、請求項１に記載のレーザプローブ。
【請求項６】
前記光学系は面格子／体積ホログラムハイブリッド多重格子部材を有する、請求項１に記載のレーザプローブ。
【請求項７】
前記格子部材は、
前記格子部材の中心に配置され、入射光束を低曲げ角で回折する略円形の面格子区域と、
前記面格子区域の周辺に配置され、入射光束を高曲げ角で回折する略リング状の体積ホログラム区域と、
を更に有する、請求項６に記載のレーザプローブ。
【請求項８】
前記２以上の受光ファイバのうちの少なくとも一つは湾曲遠位端を持つ、請求項１に記載のレーザプローブ。
【請求項９】
前記２以上の受光ファイバは、当該２以上の受光ファイバのそれぞれが前記光学系により回折された単一の光束と結合するよう配置される、請求項１に記載のレーザプローブ。
【請求項１０】
前記２以上の受光ファイバを少なくとも部分的に囲う筺体、を更に有する、請求項１に記載のレーザプローブ。
【請求項１１】
筺体と、
前記筺体内に配置され、入射光束を回折する光学系と、
前記光学系の一方のサイドに配置された第１のコネクタと、
前記光学系の他方のサイドに配置された第２のコネクタと、
を有するレーザプローブ用カップリング。
【請求項１２】
前記光学系は、第１のレンズと、前記第１のレンズに対向して配置され、回折面を有する第２のレンズとを更に有する、請求項１１に記載のカップリング。
【請求項１３】
前記第１のレンズは非球面レンズであり、前記第２のレンズは回折面を備えた非球面レンズである、請求項１２に記載のカップリング。
【請求項１４】
前記光学系は、前記放射光ファイバにより放射された光束を２次元のビームスポットアレイに回折する、請求項１１に記載のカップリング。
【請求項１５】
前記光学系は回折格子を有する、請求項１１に記載のカップリング。
【請求項１６】
前記光学系は面格子／体積ホログラムハイブリッド多重格子部材を有する、請求項１１に記載のカップリング。
【請求項１７】
前記格子部材は、
前記格子部材の中心に配置され、入射光束を低曲げ角で回折する略円形の面格子区域と、
前記面格子区域の周辺に配置され、入射光束を高曲げ角で回折する略リング状の体積ホログラム区域と、
を更に有する、請求項１６に記載のカップリング。
【請求項１８】
前記第１のコネクタ及び前記第２のコネクタはＳＭＡコネクタである、請求項１１に記載のカップリング。
【請求項１９】
前記第１のコネクタ及び前記第２のコネクタの少なくとも一つは、複数の光ファイバを一列に並べる機構を有する、請求項１１に記載のカップリング。
【請求項２０】
光束を放射する放射光ファイバと、
前記放射光ファイバの放射側に配置され、前記放射光ファイバにより放射された光束を２以上の回折光束に少なくとも回折する光学系と、
を有する眼科用レーザプローブ。
【請求項２１】
前記光学系は回折格子を有する、請求項２０に記載のレーザプローブ。
【請求項２２】
前記光学系は面格子／体積ホログラムハイブリッド多重格子部材を有する、請求項２０に記載のレーザプローブ。
【請求項２３】
前記格子部材は、
前記格子部材の中心に配置され、入射光束を低曲げ角で回折する略円形の面格子区域と、
前記面格子区域の周辺に配置され、入射光束を高曲げ角で回折する略リング状の体積ホログラム区域と
を更に有する、請求項２２に記載のレーザプローブ。
【請求項２４】
前記光学系は、平行光化する能力を備えた回折格子を有する、請求項２０に記載のレーザプローブ。
【請求項２５】
前記放射光ファイバを少なくとも部分的に囲う筺体、を更に有する、請求項２０に記載のレーザプローブ。
【請求項２６】
前記放射光ファイバを少なくとも部分的に囲うカニューレ、を更に有する、請求項２０に記載のレーザプローブ。
【請求項２７】
前記カニューレに配置され、前記放射光ファイバを前記カニューレ内で中心位置合わせするセンタリングシリンダ、を更に有する、請求項２０に記載のレーザプローブ。
【発明の詳細な説明】
【技術分野】
【０００１】
本発明は、眼の施術において使用されるレーザプローブに関し、特に、光凝固術において使用されるマルチスポットレーザプローブに関する。
【背景技術】
【０００２】
解剖学的に、眼は、はっきり異なる二つの部分、前眼部と後眼部とに区分される。前眼部は水晶体を含み、角膜（角膜内皮）の最外層から水晶体嚢の後方までわたっている。後眼部は、水晶体嚢の後側の眼の部分を含む。後眼部は、前側硝子体面から、硝子体の後側硝子体面と直接接触している網膜にまでわたっている。後眼部は、前眼部と比べて非常に大きい。
【０００３】
後眼部は、硝子体、即ち、無色透明でゲル状の物質を含む。それは眼の体積の約2/3を占め、誕生前に形成され、形作られる。それは、1%のコラーゲン及びヒアルロン酸ナトリウムと、99%の水からなる。硝子体の前側境界が前側硝子体面であり、水晶体後嚢と接触している。一方、後側硝子体面は硝子体の後方境界を形成しており、網膜と接触している。
【０００４】
黄斑変性は、網膜の黄班領域として知られる、目の内壁の中心において薄化、退化し、時には出血を伴う、主に老人において見られる病状である。これは中心視野の喪失をもたらし、詳細をはっきり見たり、読んだり、あるいは顔を認識することをできなくしてしまう。米国眼科学会によれば、これは、今日、米国において５０代以上における、中心視野喪失原因の最大のものとなっている。
【０００５】
網膜下の血管が出血すると、湿性黄班変性と呼ばれる、黄班変性の形成がなされる。場合によっては、この出血は光凝固術として知られる施術を用いて食い止め、または進行を遅らせられる。光凝固術は、眼の症状の幾つか（そのうちの一つが滲出性（湿性）の黄班変性である）を治療する網膜手術によって採用される技術である。この治療において、レーザ光束が眼の内部へ向けられ、網膜下で膨張する異常血管上に焦点を結ぶ。このレーザは、更なる視野の喪失を防ぐことを期待して更なる漏出から血管を塞ぐため、血管を焼灼する。
【０００６】
一つの照射ビームスポットを持つ標準的なレーザプローブを用いて、代表的には、眼科外科医は、網膜面全体にわたってビームを走査しつつ頻繁にフットペダルでレーザ光束のオン・オフを行い、網膜上に光凝固されたレーザ焼却スポットの一次元または二次元のアレイを作る。それは、単一光束のレーザプローブを用いて光凝固されたスポットで所望の網膜領域をカバーするのに、長時間を要する。
【０００７】
マルチスポットレーザプローブは、潜在的に所望のレーザ焼却スポットパターンを生成するのに要する時間を短縮できる可能性がある。しかし、最大レーザパワー設定で既に動作している、限られたレーザビームパワーを持つレーザであれば、マルチスポットレーザプローブは、所望のレーザ焼却スポットパターンを生成するのに要する時間を必ずしも短縮しない。このことは、固定のレーザパワーPがN個のビームスポットで分割され、あるビームスポットにおけるパワーは平均でたったP/Nとなるためである。そのため、等価な焼却を行うには、必要な露光時間が単一ビームレーザプローブの露光時間のおおよそN倍となる。したがって、レーザファイアの必要数が単一ビームプローブからの数のたった1/Nになるものの、ビームファイアあたりの露光時間が単一ビームプローブの露光時間のN倍になってしまう。そのため、焼却スポットアレイを生み出すための全体の時間は変わらない。
【０００８】
しかし、今日、アルコンラボラトリのNGL（次世代レーザ）といった、新しい光凝固レーザが利用可能となっており、理想的な光凝固スポットを生成する所望のビーム強度は、NGLの利用可能なビーム強度の最大値のごく一部にすぎない。fが1/Nと等しい場合、N個の照射ビームを持つマルチスポットレーザビームを、最大パワーレベルでのレーザビームとともに用いることができ、所望の光凝固スポットパターンを生成する全体の時間は、単一スポットのレーザプローブで必要とされる時間のたった1/Nとなる。これは、各手術の全体時間を短縮し、一日により多くの手術を実施することを可能とし、手術あたりの全体コストを低下させる。そのため、光凝固術を実施するためのマルチスポットレーザプローブが求められている。
【発明の概要】
【０００９】
本発明の原理と合致する一つの実施形態において、本発明は、放射光ファイバと、光学系と、２以上の受光ファイバとを有するレーザプローブである。放射光ファイバは、レーザ光束を放射する。光学系は、放射光ファイバにより放射された光束を回折する。各受光ファイバは、光学系により回折された光束を受光する。
【００１０】
本発明の原理と合致する他の実施形態において、本発明は、筺体と、筺体内に配置された光学系と、二つのコネクタとを有するレーザプローブ用カップリングである。二つのコネクタは、光学系のそれぞれのサイドに配置される。光学系は入射光束を回折する。
【００１１】
本発明の原理と合致する他の実施形態において、本発明は、放射光ファイバと光学系とを有する眼科用レーザプローブである。光学系は、放射光ファイバにより放射された光束を、２以上の回折光束に回折する。
【００１２】
前述の一般的な説明と後述する詳細な説明の両方ともに例示であり、単に説明のためのもので、クレームされた発明のさらなる説明を提供することを意図するものであることを理解されたい。以下の記述は、本発明の実施例としてだけでなく、本発明の目的及び追加の利点を説明し、示すものである。
【００１３】
この明細書の一部を構成し、組み込まれた添付の図面は、本発明の幾つかの実施形態を示し、その説明とともに、本発明の原理を説明するものである。
【図面の簡単な説明】
【００１４】
【図１】本発明の原理と合致するファイバ結像系に対する単一ファイバの断面図である。
【図２】本発明の原理と合致する、回折格子を備えたレンズを用いたファイバ結像系に対するファイバの断面図である。
【図３】本発明の原理に従った、ハンドピースと取り付けられたカニューレとを含むレーザプローブの遠位端の断面図である。
【図４】本発明の原理に従った、2x2のスポットアレイを生じる回折格子の概略図である。
【図５】本発明の原理に従った、回折格子を用いた結像系を示す図である。
【図６Ａ】面格子／体積ホログラムハイブリッド多重格子部材の側面断面図である。
【図６Ｂ】面格子／体積ホログラムハイブリッド多重格子部材の正面図である。
【図７】図６の面格子／体積ホログラムハイブリッド多重格子部材により生成されたビームパターンの側面断面図である。
【図８】本発明の原理に従った、カップリング構造の断面図である。
【図９】本発明の原理に従った、レーザプローブの部分図である。
【図１０】図９のレーザプローブと図８のカップリング構造間の接続を示す図である。
【図１１】本発明の原理に従った、メスコネクタの端面図である。
【図１２】本発明の原理に従った、オスコネクタの端面図である。
【図１３】レーザプローブの断面図である。
【図１４】本発明の原理に従った、回折格子を備えたレーザプローブの断面図である。
【図１５】図１４のレーザプローブの遠位端の分解断面図である。
【図１６】光学パワーが回折格子に組み込まれたレーザプローブの遠位端の分解断面図である。
【発明を実施するための形態】
【００１５】
添付の図面において示された、本発明の例示的な実施形態を以下で詳細に参照する。可能な限り、同一の参照番号を、全ての図を通じて同じまたは類似の部分を参照するために使用した。
【００１６】
図１は、本発明の原理と合致するファイバ結像系に対する単一ファイバの断面図である。図１の実施形態では、ファイバ結像系は、二つのファイバ１１０、１２０と二つのレンズ１３０、１４０とを有する。ファイバ１１０は、レーザ光源（図示せず）から発した発散光束を放射する。その発散光束は、レンズ１３０により平行光にされる。周知のように、平行光は、その光線が平行となって平面波面を持つ光である。この平行光束は、レンズ１４０により、受光ファイバ１２０の入射面上の小さな直径のスポットへ焦点を結ぶ。この場合、レンズ１３０、１４０は、それぞれ、平凸非球面レンズである。平凸非球面レンズでは、一方の面が平面であり、他方の面が最小直径スポットに対して光をフォーカスするために高精度な非球面を備えた凸面である。このような構造は、光線収差を最小とし、受光ファイバ１２０において完全な回折限界に近いレーザスポットとすることができる。
【００１７】
本発明の一つの実施形態では、ファイバ１１０、１２０は、それぞれ、50ミクロンの0.15NAのファイバである。またレンズは、アルコンラボラトリにより製造販売されている眼科用ハンドピースのような、内径0.035インチ（0.889mm）を備えた標準的な眼科用ハンドピースの内側に適切に合う大きさである。
【００１８】
図２は、回折格子を備えたレンズを用いたファイバ結像系に対するファイバの断面図である。図２では、ファイバ結像系は、放射ファイバ１１０と、レンズ１３０と、回折格子２０５を備えたレンズ１４０と、３本の受光ファイバ２２０、２３０、２４０とを含む。図２の実施形態では、回折格子２０５は平凸レンズ１４０の平面側に配置される。そのような回折格子は、図示のように、入射光束を複数の出射光束に回折し、各出射光束に別個のスポットに焦点を結ばせることができる。この場合、レンズ／格子部材２１０は、入射光束を回折し、その入射光束を二つの異なる分離したビームスポットにフォーカスする。表面格子の外形の深さは、光の約1/3がそれぞれ回折されたスポットに回折され、光の1/3が回折されずに0次のスポットに残るように設計される。そのような場合、３本の受光ファイバ２２０、２３０、２４０のそれぞれは、入射光束からのレーザ光の約1/3を運ぶ。
【００１９】
そのような構造は、単一の入射レーザ光束から複数のレーザスポットを生じる。レンズ／格子部材２１０上の回折格子２０５は、複数の受光ファイバ２２０、２３０、２４０に結合される複数の回折ビームスポットを生じるように設計される。一例では、回折格子は、光の100%近くが回折光束に向かうよう（そして0次光束をなくすよう）に、入射光束を回折するよう設計される。一般に、そのような格子は直線に沿って、または（図４に示されるような）２次元領域内に回折ビームのパターンを生じるよう設計される。図２の回折格子２０５は、レンズ１４０と物理的に直接接触してもよく、あるいは、レンズ１４０から分離されていてもよい。そのような場合、回折格子は、レンズと分離したポリマーまたはガラス構造により実装される。集光レンズ１４０と分離した回折格子２０５は、集光レンズ１４０の下流側、集光レンズ１４０とコリメートレンズ１３０との間、コリメートレンズ１３０の上流側の何れにでも配置できる。
【００２０】
図３は、本発明の原理に従った、ハンドピースと取り付けられたカニューレとを含むレーザプローブの遠位端を示す。図３において、レーザプローブ部材３００は、放射ファイバ１１０と、レンズ１３０と、回折格子２１０を備えたレンズと、３本の受光ファイバ２２０、２３０、２４０と、ハンドピース３１０と、カニューレ３２０とを含む。３本の受光ファイバ２２０、２３０、２４０のそれぞれは、湾曲した遠位端を持つ。これらの湾曲した端は、回折されたレーザスポットを異なる位置へ向かわせ、それによってスポットパターンを生じる。レーザプローブ部材３００が網膜血管の光凝固術に用いられると、受光ファイバ２２０、２３０、２４０の湾曲した端は、血管をより素早く、より効率的に凝固させるために使用できるスポットパターンを生じる。レーザを発光させる度に、複数のスポットを、網膜表面の広範囲な部分をカバーしつつ、網膜上に投影することができる。
【００２１】
図４は、本発明の原理に従った、2x2のスポットアレイを生じる回折格子の概略図である。図４では、回折格子４１０は、２次元領域内に４個のスポットを生じる。４個のスポットのそれぞれは、受光ファイバ４２０、４３０、４４０、４５０と合わせられる。回折格子４１０の設計を変えることにより、異なるスポット数の構成を実現できる。
【００２２】
図５は、本発明の原理に従った、回折格子を用いた結像系を示す図である。図５では、結像系は、放射ファイバ５１０と、二つの受光ファイバ５２０、５３０と、回折格子５４０とを有する。図５では、屈折レンズが除去され、回折格子５４０で置換されている。この場合、回折格子５４０の端部において、（1:1倍、0.15NA光学系）約17°の曲げ角が要求される。表面レリーフ格子は、小さな曲げ角に対して100%近い回折効率を持つことができるが、曲げ角が大きくなるにつれて回折効率は急激に低下する傾向にある。そのような場合、体積ホログラムを回折格子として用いることができる。
【００２３】
図６Ａ及び図６Ｂは、それぞれ、面格子／体積ホログラムハイブリッド多重格子部材の側面断面図及び正面図である。図６Ａでは、格子部材６００は、表面レリーフ格子層６１０と、接着層６２０と、体積ホログラム層６３０と、ガラス基板６４０とを含む。格子部材６００は、中心（表面格子回折）領域６１５と、周辺（体積ホログラム回折）領域６２５とを持つ。格子部材６００は、図６Ｂに示されるように、略円形をしている。
【００２４】
周辺（体積ホログラム回折）領域６２５は、体積ホログラムを実装する。体積ホログラムでは、回折格子はホログラム材質のかさ容積（bulk volume）内にある。体積ホログラムは、低い曲げ角（例えば、10°未満）に対して低い回折効率に抑え、大きい曲げ角（例えば、10°超）に対して100%の回折効率にできる可能性を持つ。
【００２５】
そのため、回折部材６００は、中心（表面格子回折）領域６１５で小さい曲げ角に対して効率的に回折する。その部材６００は、周辺（体積ホログラム回折）領域６２５でより大きい曲げ角に対しても効率的に回折する。そのような部材６００を用いて、ハンドピースまたはプローブ内に包含された制約された体積において100%近い回折効率を得ることができる。格子部材６００に対する例示的なビームパターンを図７に示す。
【００２６】
図８−図１０は、本発明の原理に従った、ファイバカップリング構造を示す。図８はカップリングを示す。光学系は、ディスポーザブルなレーザプローブに対するレーザコンソールと接続する筺体８３０内に配置される。図８では、光学系（この場合、レンズ１３０と回折格子２１０を備えたレンズであるが、他の光学系が用いられてもよい）が筺体８３０内に配置されている。オスコネクタ８１０は、筺体８３０の一方の端部に設けられ、メスコネクタ８２０が筺体８３０の他方の端部に設けられている。他の実施形態では、コネクタは、標準的なSMAコネクタであるが、他のタイプのコネクタが採用されてもよい。
【００２７】
図９は、本発明の原理に従った、レーザプローブの部分図である。ディスポーザブルマルチスポットレーザプローブは、オスコネクタ９１０と、１以上の光ファイバを支えるシース９２０と、ハンドピース９３０と、３本の光ファイバ２２０、２３０、２４０（それぞれ、湾曲端を持つ）で終端するカニューレ９４０とを含む。
【００２８】
図１０は、図９のレーザプローブと図８のコネクタ構造間の接続を示す図である。図１０では、オスコネクタ９１０はメスコネクタ８２０にはめ込まれ、それによりレーザプローブをレーザ光源と結合する。筺体８３０内に囲まれた光学系は、入射光束を光ファイバ２２０、２３０、２４０により運ばれる複数の光束に回折する。
【００２９】
図１１及び図１２は、本発明の原理に従った、コネクタ構造の端面図である。図１１はメスコネクタの端面図であり、図１２はオスコネクタの端面図である。スプリングボール１１１０は、スロット１１２０と嵌合し、光ファイバ（小円で示す）を正確に一列に並べる。スロットと接合突起のような、他の整列機構を、光ファイバを一列に並べるために採用してもよい。
【００３０】
図１３はレーザプローブの断面図である。図１３では、レーザプローブは、PVC被覆１３１０と、ハンドピース１３２０と、光ファイバ１３３０と、カニューレ１３４０とを有する。レーザ光束はファイバ１３３０の遠位端から放射される。
【００３１】
図１４は、本発明の原理に従った、回折格子を備えたレーザプローブの断面図である。図１４では、回折格子１４１０はカニューレ１３４０の端部に固定される。光ファイバ１３３０は、回折格子１４１０の前方でカニューレ１３４０内で終端する。この方式では、光ファイバ１３３０により放射されたレーザ光束は回折格子１４１０を透過する。上記のように、回折格子１４１０は複数の回折ビームスポットを生じる。図１４では、二つの回折光束が示されているが、本発明の他の実施形態では、入射光束が回折格子１４１０を透過するにつれて何本の回折光束が生じてもよい。本発明の様々な実施形態では、表面格子、体積ホログラムあるいはそれら両方の組み合わせを、上記のように採用することができる。他の実施形態では、回折格子１４１０を、上記のように異なるスポットパターンを生じさせるように設計してもよい。
【００３２】
図１５は、図１４のレーザプローブの遠位端の分解断面図である。この図は、ビームの光路及び構成部品の配置をより明確に示している。図１５は、カニューレ１３４０内で光ファイバ１３３０を中心位置に合わせるよう設計されたセンタリングシリンダ１５１０も含む。光ファイバ１３３０の遠位端は、図示のように光ファイバ１３３０により放射された光束が回折格子１４１０を満たすべく拡散できるようにするため、回折格子１４１０から離して置かれる。回折格子１４１０は、放射ファイバの面内で複数の虚像が現れるように、光束を複数の方向に回折する。
【００３３】
図１６は、光学パワーが回折格子１６１０に組み込まれたレーザプローブの遠位端の分解断面図である。回折格子１６１０は回折光束に焦点を結ばせるように設計される。例えば、回折格子を、複数の平行回折光束を放射するように設計することができる。平行回折光束は、網膜上により集中したスポットパターンをもたらす。他の実施形態では、回折格子１６１０は、発散回折光束を生成するよう設計される。
【００３４】
上記から、本発明が網膜の光凝固術用の向上されたシステムを提供することが明らかとなろう。回折格子またはその集合部材を利用することで、単一入射レーザ光束を、網膜血管を光凝固させる適切なスポットパターンに回折させることができる。本発明は、実施例によりここに示され、また様々な変形を当業者は行ってもよい。
【００３５】
ここに開示された本発明の実施例及び明細書の考察から、本発明の他の実施形態も当業者にとって明らかとなろう。明細書及び実施例は、単なる例示とみなされるものであり、本発明の真の範囲及び精神は、以下のクレームによって示されることが意図されている。
【図１】
2014079644.tif 000003
【図２】
2014079644.tif 000004
【図３】
2014079644.tif 000005
【図４】
2014079644.tif 000006
【図５】
2014079644.tif 000007
【図６Ａ】
2014079644.tif 000008
【図６Ｂ】
2014079644.tif 000009
【図７】
2014079644.tif 000010
【図８】
2014079644.tif 000011
【図９】
2014079644.tif 000012
【図１０】
2014079644.tif 000013
【図１１】
2014079644.tif 000014
【図１２】
2014079644.tif 000015
【図１３】
2014079644.tif 000016
【図１４】
2014079644.tif 000017
【図１５】
2014079644.tif 000018
【図１６】
2014079644.tif 000019
【手続補正書】
【提出日】平成26年2月5日(2014.2.5)
【手続補正１】
【補正対象書類名】特許請求の範囲
【補正対象項目名】全文
【補正方法】変更
【補正の内容】
【特許請求の範囲】
【請求項１】
レーザプローブであって、
光束を放射する放射光ファイバ（１１０）と、
該放射光ファイバの放射側に配置される光学系であって、該放射光を離散ビームスポットの二次元アレイへと分割する回折構造を具備する光学系と、
二以上の受光ファイバであって、該二以上の受光ファイバの各々が該放射光ファイバ（１１０）と対向して配置され、該二以上の受光ファイバ（２２０，２３０，２４０）の各受光端が該回折構造に略平行な面に位置し、それによって各離散ビームスポットが一つの受光ファイバにフォーカスされ、該二以上の受光ファイバの各々が該光学系によって回折された単一の光ビームに結合される、二以上の受光ファイバ（２２０，２３０，２４０）と、
を具備し、前記光学系の該回折構造が、表面格子（６１０）と体積ホログラム（６３０）とのハイブリッドの組合せによる多重の格子アセンブリ（２１０，６００）で構成されて前記放射光ファイバによって放射された光束を回折する回折構造であって、該放射光ファイバによって放射された光束が、離散ビームスポットの二次元アレイにおける二以上の回折された光束へと回折されるようにする回折構造、であることを特徴とする、
レーザプローブ。
【請求項２】
該格子アセンブリ（６００）が、
該格子アセンブリの中心に配置され、入射光束を低曲げ角で回折する、略円形の表面格子区域（６１５）と、
該表面格子区域の周辺に配置され、入射光束を高曲げ角で回折する、略リング状の体積ホログラム区域（６２５）と、
を更に具備する、請求項１に記載のレーザプローブ。
【請求項３】
該二以上の受光ファイバのうちの少なくとも一つが湾曲遠位端を有する、請求項１に記載のレーザプローブ。
【請求項４】
該二以上の受光ファイバを少なくとも部分的に囲う筺体、を更に具備する、請求項１に記載のレーザプローブ。
【請求項５】
眼科用レーザプローブとして適合せしめられている、請求項１から請求項４までのいずれか一項に記載のレーザプローブ。
【外国語明細書】
2014079644000001.pdf